(57)【特許請求の範囲】
【請求項１】
設置場所に形成された開口を塞ぐ大きさでフランジ部が形成された本体部と、
前記本体部を覆う金属ケースと、
前記設置場所の開口を塞ぐ大きさで、前記金属ケースの下端の周縁から外側に突出し、前記本体部の前記フランジ部に重ねられる金属製のフランジ部と、
前記本体部の前記フランジ部と前記金属ケースの前記フランジ部を前記設置場所に固定する締結手段と、
前記本体部と前記金属ケースを所定条件で分離させる分離手段と、
前記本体部と前記金属ケースを連結する落下防止手段とを備え、
前記締結手段は、前記分離手段で前記本体部が分離された前記金属ケースを、前記設置場所に固定し、
前記落下防止手段は、前記金属ケースの外側に取り付けられる端子台と前記本体部を電気的に接続する配線と、前記配線を前記金属ケースに対して固定する配線固定手段であり、
前記配線固定手段は、前記配線が通されると共に、前記配線の先端に取り付けられて前記端子台に接続される端子板が抜けない大きさを有した配線保持部が形成される
ことを特徴とする設備機器。
【請求項２】
前記本体部の前記フランジ部に熱伝導性を有した固定部材を備え、前記締結手段で前記固定部材を介して前記金属ケースの前記フランジ部を前記設置場所に固定する
ことを特徴とする請求項１記載の設備機器。
【発明の詳細な説明】
【技術分野】
【０００１】
本発明は、浴室等の室内の天井に設置される設備機器に関する。
【背景技術】
【０００２】
従来、建物の天井に設置される換気装置は、熱源を持たないため、樹脂製のケースで覆われている。一方、浴室の天井に設置される浴室換気乾燥暖房機は、熱源としてヒータを持つため金属ケースで覆われている（例えば、特許文献１参照）。これにより、装置内部からの熱に対応できるようにしている。
【０００３】
【特許文献１】特開２００４−１６２９５０号公報
【発明の開示】
【発明が解決しようとする課題】
【０００４】
従来の浴室換気乾燥暖房機は、自機の内部からの熱による外部への影響には対応している。一方、外部からの熱に対応するという課題がある。
【課題を解決するための手段】
【０００５】
上述した課題を解決するため、本発明の設備機器は、設置場所に形成された開口を塞ぐ大きさでフランジ部が形成された本体部と、本体部を覆う金属ケースと、設置場所の開口を塞ぐ大きさで、金属ケースの下端の周縁から外側に突出し、本体部のフランジ部に重ねられる金属製のフランジ部と、本体部のフランジ部と金属ケースのフランジ部を設置場所に固定する締結手段と、本体部と金属ケースを所定条件で分離させる分離手段と、本体部と金属ケースを連結する落下防止手段とを備え、締結手段は、分離手段で本体部が分離された金属ケースを、設置場所に固定し、落下防止手段は、金属ケースの外側に取り付けられる端子台と本体部を電気的に接続する配線と、配線を金属ケースに対して固定する配線固定手段であり、配線固定手段は、配線が通されると共に、配線の先端に取り付けられて端子台に接続される端子板が抜けない大きさを有した配線保持部が形成されることを特徴とする。
【０００６】
本発明の設備機器では、設置場所に形成された開口に金属ケースで覆われた本体部が入れられ、金属ケースのフランジ部と本体部のフランジ部で、設置場所の開口がふさがれて、金属ケースのフランジ部と本体部のフランジ部が、締結手段で設置場所に固定される。
【０００７】
設備機器に対する外部からの熱は、金属ケースと金属ケースのフランジ部で受けられ、本体部に直接熱が伝わらないようにする共に、設置場所の開口から熱が回らないようにする。
【発明の効果】
【０００８】
本発明の設備機器によれば、外部からの熱に対応することができる。
【発明を実施するための最良の形態】
【０００９】
以下、図面を参照して本発明の設備機器の実施の形態としての空調装置の一例である浴室換気乾燥暖房機について説明する。
【００１０】
＜本実施の形態の浴室換気乾燥暖房機の構成例＞
図１は、本実施の形態の設備機器である空調装置としての浴室換気乾燥暖房機の一例を示す断面図、図２は、本実施の形態の浴室換気乾燥暖房機の一例を示す要部断面図である。図３は、本実施の形態の浴室換気乾燥暖房機の一例を示す平面図、図４は、本実施の形態の浴室換気乾燥暖房機の一例を示す分解斜視図である。
【００１１】
本実施の形態の浴室換気乾燥暖房機１Ａは、本体部２と、本体部２を覆う金属ケース３を備える。本体部２は、ファンモータ２０Ｍに回転駆動されるファン２０Ｆと、ヒータ２０Ｈと、ファンケースを構成する本体シャーシ２１を備える。
【００１２】
本体部２は、ファン２０Ｆの軸方向に沿った下側が開口して吸込口２２ａが形成される。また、本体部２は、ファン２０Ｆによる空気の吹出方向に沿った下側に吹出口２２ｂが形成され、ファン２０Ｆによる空気の吹出方向に沿った側面に排気口２２ｃが形成される。
【００１３】
更に、本体部２は、吹出口２２ｂと排気口２２ｃとの間で風路を切り替える風路切替ダンパ２３を備える。風路切替ダンパ２３は、図示しないダンパモータの駆動力が伝達され、吹出口２２ｂと排気口２２ｃの開閉動作を行う。
【００１４】
浴室換気乾燥暖房機１Ａは、風路切替ダンパ２３の位置を、図１に実線で示すように排気口２２ｃを閉じる循環位置とすると、吹出口２２ｂが開いて、吸込口２２ａから吹出口２２ｂへ連通した循環風路が形成される。
【００１５】
また、浴室換気乾燥暖房機１Ａは、風路切替ダンパ２３の位置を、図１に一点鎖線で示すように吹出口２２ｂを閉じる換気位置とすると、排気口２２ｃが開いて、吸込口２２ａから排気口２２ｃへ連通した換気風路が形成される。
【００１６】
更に、浴室換気乾燥暖房機１Ａは、風路切替ダンパ２３の位置を、図１に二点鎖線で示す循環位置と換気位置の間の循環換気位置とすると、吹出口２２ｂと排気口２２ｃの双方が開いて、循環風路と換気風路の双方が形成される。
【００１７】
ヒータ２０Ｈは、例えばＰＴＣヒータが吹出口２２ｂに設けられる。風路切替ダンパ２３を循環位置または循環換気位置とし、ファンモータ２０Ｍが駆動されファン２０Ｆが回転されると共に、ヒータ２０Ｈに通電されると、ヒータ２０Ｈが加熱されることで吹出口２２ｂを通る空気が暖められ、吹出口２２ｂから温風が吹き出される。
【００１８】
なお、浴室換気乾燥暖房機１Ａの本体部２としては、循環ファンと換気ファンを別々に備えて循環風路と換気風路が独立した構成等でも良い。
【００１９】
本体シャーシ２１は、樹脂材料で構成され、下端の周縁から外側に突出するフランジ部２４を備える。フランジ部２４は、浴室換気乾燥暖房機１Ａを天井パネル１００に取り付けるための締結手段であるネジ１０１が挿入される穴部２４Ｈが形成される。穴部２４Ｈは分離手段を構成し、ネジ１０１の軸部１０１ａの径より大きく、頭部１０１ｂの径より小さい直径で開口する。
【００２０】
また、本体シャーシ２１は、金属ケース３が固定される固定突起２５を備える。固定突起２５は分離手段を構成し、本体シャーシ２１の上部及び側部に一体に設けられ、ネジ２６が締結される穴部２５Ｈが形成される。固定突起２５は、本体部２に金属ケース３が被せられると、金属ケース３の内面が接する高さを有する。
【００２１】
金属ケース３は、金属の板材で構成され、本体部２の側部及び上部を覆う形状を有し、排気口２２ｃに合わせて開口が形成される。また、金属ケース３は、本体シャーシ２１の固定突起２５に合わせて穴部３０Ｈが形成される。穴部３０Ｈは、固定突起２５に締結されるネジ２６の軸部の径より大きく、頭部の径より小さい直径で開口する。
【００２２】
金属ケース３は、下端の周縁から外側に突出する金属製のフランジ部３１を備える。フランジ部３１は、本体部２に金属ケース３が被せられ、金属ケース３の穴部３０Ｈに挿入されたネジ２６が、本体シャーシ２１の固定突起２５に締結されると、本体シャーシ２１のフランジ部２４に載せられる形状を有する。フランジ部３１は、本体シャーシ２１に形成された穴部２４Ｈの位置に合わせて、ネジ１０１が挿入される穴部３１Ｈが形成される。穴部３１Ｈは、ネジ１０１の軸部１０１ａの径より大きく、頭部１０１ｂの径より小さい直径で開口する。
【００２３】
浴室換気乾燥暖房機１Ａは、金属ケース３の一の側面に、排気口２２ｃとつながるダクトジョイント４が取り付けられる。ダクトジョイント４は、金属の板材で構成される。
【００２４】
浴室換気乾燥暖房機１Ａは、本体部２の下部にフロントパネル５が取り付けられる。フロントパネル５は、吸込口２２ａの位置に合わせて吸込口グリル５０ａが形成されると共に、吹出口２２ｂの位置に合わせて吹出口グリル５０ｂが形成される。
【００２５】
浴室換気乾燥暖房機１Ａは、金属ケース３の内側に基板６を備える。基板６は、本体シャーシ２１の上面に固定され、ファンモータ２０Ｍ、ヒータ２０Ｈ及び図示しないダンパモータ等を駆動する素子等が実装される。
【００２６】
浴室換気乾燥暖房機１Ａは、外部からの配線が接続される端子台７を金属ケース３の上面に備える。端子台７は、基板６と落下防止手段を構成する配線８で接続される。金属ケース３の外側に設けられる端子台７と金属ケース３の内側に設けられる基板６を配線８で接続するため、金属ケース３は、配線８を通す開口部３２が上面に形成される。浴室換気乾燥暖房機１Ａは、端子台７と開口部３２を覆うカバー７０が金属ケース３の上面に取り付けられ、端子台７と開口部３２が露出しない構成としている。
【００２７】
浴室換気乾燥暖房機１Ａは、端子台７と基板６を接続する配線８を金属ケース３に固定する配線固定金具９を備える。図５は、配線固定金具の一例を示す斜視図である。
【００２８】
配線固定金具９は配線固定手段の一例で、外周にヘミング曲げが行われた長方形の金属の板材を、Ｕ字型に折り曲げて構成される。配線固定金具９は、Ｕ字型とした板材の両端に、ネジ９０が挿入される穴部９１Ｈが形成され、穴部９１Ｈが重なるように折り曲げられることで、配線８が通される配線保持部９２が形成される。配線保持部９２は、外周部分にヘミング曲げによる配線保護部９３が形成され、配線８が接触しても、被覆を損傷しないように構成される。また、配線保持部９２は、配線８の先端に取り付けられ、端子台７に接続される後述する端子板が抜けない大きさを有する。
【００２９】
浴室換気乾燥暖房機１Ａの設置例について説明すると、浴室換気乾燥暖房機１Ａは、浴室の天井パネル１００に形成された開口部１０２から、金属ケース３で覆われた本体部２が天井裏に入れられる。天井パネル１００には、取付金具１０３が設置され、本体シャーシ２１のフランジ部２４の穴部２４Ｈ及び金属ケース３のフランジ部３１の穴部３１Ｈにネジ１０１を挿入して、固定金具１０３に締結する。
【００３０】
これにより、浴室換気乾燥暖房機１Ａのフランジ部２４及びフランジ部３１と、取付金具１０３で天井パネル１００が挟持され、浴室換気乾燥暖房機１Ａが天井パネル１００に取り付けられる。天井パネル１００に取り付けられた浴室換気乾燥暖房機１Ａは、本体部２の下部にフロントパネル５が取り付けられる。
【００３１】
浴室換気乾燥暖房機１Ａの動作について説明すると、浴室換気乾燥暖房機１Ａは、ファンモータ２０Ｍが駆動されてファン２０Ｆが回転駆動されると、フロントパネル５の吸込口グリル５０ａを介して吸込口２２ａから浴室内の空気が吸い込まれる。
【００３２】
風路切替ダンパ２３の位置が図１に実線で示す循環位置であると、吸込口２２ａから吹出口２２ｂへの循環風路が形成されるので、吸込口２２ａから吸い込まれた空気は、循環風路を通り吹出口２２ｂからフロントパネル５の吹出口グリル５０ｂを介して浴室内に吹き出される。ヒータ２０Ｈは吹出口２２ｂに配置されるので、ヒータ２０Ｈに通電されることで、循環風路を通る空気が温められて、温風が吹出口グリル５０ｂから吹き出す。
【００３３】
これにより、風路切替ダンパ２３を循環位置として、ファンモータ２０が駆動されると、ヒータ２０Ｈに通電した場合は、浴室内の空気を循環させながら、浴室内に温風が吹き出される。ヒータ２０Ｈに非通電の場合は、浴室内の空気を循環させながら、室温に応じた涼風が浴室内に吹き出される。
【００３４】
風路切替ダンパ２３の位置が図１に一点鎖線で示す換気位置であると、吸込口２２ａから排気口２２ｃへの換気風路が形成されるので、吸込口２２ａから吸い込まれた空気は、換気風路及び排気口２２ｃを通り、屋外へ排気される。
【００３５】
これにより、風路切替ダンパ２３を換気位置として、ファンモータ２０Ｍが駆動されると、浴室内の湯気や湿気が排気される。
【００３６】
風路切替ダンパ２３の位置が図１に二点鎖線で示す循環換気位置であると、吸込口２２ａから吹出口２２ｂへの循環風路と、吸込口２２ａから排気口２２ｃへの換気風路の双方が形成されるので、吸込口２２ａから吸い込まれた空気は、一部は循環風路を通り吹出口２２ｂからフロントパネル５の吹出口グリル５０ｂを介して浴室内に吹き出される。また、吸込口２２ａから吸い込まれた空気の残部は、換気風路及び排気口２２ｃを通り、屋外へ排気される。
【００３７】
これにより、風路切替ダンパ２３を循環換気位置として、ファンモータ２０Ｍが駆動されると、ヒータ２０Ｈに非通電の場合は、浴室内の空気を循環させながら、浴室内の湯気や湿気が排気される。
【００３８】
一方、ヒータ２０Ｈに通電した場合は、浴室内の空気を循環させて浴室内に温風を吹き出しながら、浴室内の湯気や湿気が排気される。
【００３９】
＜本実施の形態の浴室換気乾燥暖房機の作用効果例＞
図６、図７及び図８は、本実施の形態の浴室換気乾燥暖房機による延焼防止効果を示す動作説明図である。建物で万一火災が発生した場合、火が浴室の天井裏に延焼しても、浴室換気乾燥暖房機１Ａは、天井裏に入れられる本体部２が金属ケース３で覆われているので、樹脂材料で構成される本体シャーシ２１等が発火することを防止するようにしている。
【００４０】
一方、火災で金属ケース３が外側から加熱されると、金属ケース３の内側の本体部２にも熱が加えられる。そこで、浴室換気乾燥暖房機１Ａに外部から加えられる熱を、浴室換気乾燥暖房機１Ａを天井パネル１００に固定するネジ１０１と、金属ケース３と本体部２を固定するネジ２６を介して本体シャーシ２１に伝達する。
【００４１】
ネジ１０１に熱が加えられると、ネジ１０１は主に頭部１０１ｂで本体シャーシ２１のフランジ部２４に接しているので、ネジ１０１の熱で本体シャーシ２１のフランジ部２４は穴部２４Ｈの周囲から徐々に軟化し、図６（ａ）に示すように、フランジ部２４が変形する。
【００４２】
また、ネジ２６に熱が加えられると、ネジ２６は主に軸部で本体シャーシ２１の固定突起２６に接しているので、ネジ２６の熱で固定突起２５は穴部２５Ｈの周囲から徐々に軟化し、図７（ａ）に示すように、ネジ２６が抜け始める。
【００４３】
これにより、本体部２が徐々に下がり始める。本体部２が下がる過程では、図６（ａ）に示すように、本体部ケース２１のフランジ部２４は、穴部２４Ｈの周囲がネジ１０１の頭部１０１ｂで押し上げられる方向に変形し、フランジ部２４の凸状となった変形部２４Ａで、金属ケース３のフランジ部３１が天井パネル１００に押さえられる。従って、天井パネル１００と金属ケース３のフランジ部３１との間に、火が回りこむような隙間が形成されず、浴室内への引火が防止される。
【００４４】
ネジ１０１に更に熱が加えられ続けると、ネジ１０１の熱で本体シャーシ２１のフランジ部２４は穴部２４Ｈの周囲が溶け、図６（ｂ）に示すように、ネジ１０１の頭部１０１ｂがフランジ部２４から抜ける。
【００４５】
また、ネジ２６に更に熱が加えられ続けると、ネジ２６の熱で固定突起２５は穴部２５Ｈが溶け、図７（ｂ）に示すように、ネジ２６が抜ける。
【００４６】
これにより、本体部２が金属ケース３から分離され、浴室換気乾燥暖房機１Ａに外部から加えられる熱が本体部２に伝わらないようにすることができる。従って、長時間の火災であっても、本体部２の自己発火を防止することができる。
【００４７】
また、金属ケース３は、フランジ部３１の穴部３１Ｈがネジ１０１の頭部１０１に引っ掛かることで、天井パネル１００に残る。これにより、天井パネル１００の開口１０２が金属ケース３で塞がれた状態に保持され、浴室内への引火が防止される。
【００４８】
図９は、本実施の形態の浴室換気乾燥暖房機による落下防止効果例を示す動作説明図である。図８に示すように、金属ケース３から本体部２が分離されると、本体部２は落下する。このとき、金属ケース３と本体部２は配線８でつながっており、図９（ａ）に示すように、端子台７が金属ケース３から外れた場合は、配線８が引っ張られると、端子台７が配線固定金具９に引っ掛かる。また、図９（ｂ）に示すように、端子台７から配線８が外れた場合でも、配線８に取り付けられた端子板８０が配線固定金具９に引っ掛かる。配線８は、芯線が図示しない端子板にカシメられており、被覆が溶けても、端子板から外れることはない。また、配線固定金具９は金属の板材で構成されるので、熱で容易に変形したり溶けることは無い。
【００４９】
これにより、金属ケース３から分離された本体部２は、図８に示すように、配線８で金属ケース３に支持され、金属ケース３は、上述したように天井パネル１００に残ることから、本体部２が床に落下することはない。
【００５０】
＜本実施の形態の浴室換気乾燥暖房機の変形例＞
図１０は、本実施の形態の浴室換気乾燥暖房機の変形例を示す要部断面図、図１１は、本実施の形態の変形例における浴室換気乾燥暖房機による延焼防止効果を示す動作説明図である。
【００５１】
第１の変形例の浴室換気乾燥暖房機１ＡＡは、本体シャーシ２１のフランジ２４の金属カラー２７を備える。金属カラー２７は固定部材の一例で、ネジ１０１が挿入される穴部２７Ｈが形成される円筒形状で、フランジ部２４に形成された穴部２４Ｈａに圧入される。金属カラー２７は、穴部２７Ｈの内径がネジ１０１の軸部１０１ａの径より大きく、外径が頭部１０１ｂの径より大きい直径を有する。
【００５２】
また、金属カラー２７の高さは、金属カラー２７が圧入される位置のフランジ部２４の厚さと略同等として、金属ケース３のフランジ部３１と対向する側では、金属カラー２７とフランジ部２４が同一面となるよう構成される。
【００５３】
第１の変形例の浴室換気乾燥暖房機１ＡＡでは、本体シャーシ２１のフランジ部２４に圧入された金属カラー２７の穴部２７Ｈ及び金属ケース３のフランジ部３１の穴部３１Ｈにネジ１０１を挿入して、天井パネル１００に設置された固定金具１０３に締結する。
【００５４】
これにより、浴室換気乾燥暖房機１ＡＡのフランジ部２４及びフランジ部３１と、取付金具１０３で天井パネル１００が挟持され、浴室換気乾燥暖房機１Ａが天井パネル１００に取り付けられる。金属カラー２７の外径は、ネジ１０１の頭部１０１ｂの径より大きいので、金属カラー２７で金属ケース３のフランジ部３１が天井パネル１００に押さえられる。
【００５５】
ネジ１０１に熱が加えられると、ネジ１０１は主に頭部１０１ｂで金属カラー２７に接し、金属カラー２７は、外周面で本体シャーシ２１のフランジ２４に接しているので、ネジ１０１の熱で本体シャーシ２１のフランジ部２４は穴部２４Ｈａの周囲から徐々に軟化し、図１１（ａ）に示すように、金属カラー２７がフランジ部２４から抜け始める。
【００５６】
これにより、本体部２が徐々に下がり始める。本体部２が下がる過程では、図１１（ａ）に示すように、金属ケース３のフランジ部３１が、固定金具１０３に締結されたネジ１０１で金属カラー２７によって天井パネル１００に押さえられる。従って、天井パネル１００と金属ケース３のフランジ部３１との間に、火が回りこむような隙間が形成されず、浴室内への引火が防止される。
【００５７】
ネジ１０１に更に熱が加えられ続けると、ネジ１０１の熱及び金属カラー２７の熱で本体シャーシ２１のフランジ部２４は穴部２４Ｈａの周囲が溶け、図１１（ｂ）に示すように、金属カラー２７がフランジ部２４から抜ける。
【００５８】
これにより、本体部２が金属ケース３から分離される。本体部２が金属ケース３から分離されても、金属ケース３のフランジ部３１が、固定金具１０３に締結されたネジ１０１で金属カラー２７によって天井パネル１００に押さえられる。従って、天井パネル１００と金属ケース３のフランジ部３１との間に、火が回りこむような隙間が形成されず、浴室内への引火が防止される。
【００５９】
また、浴室換気乾燥暖房機１ＡＡに外部から加えられる熱が、金属カラー２７の外周面で本体シャーシ２１に伝達することができる。これにより、熱伝達の効率が向上し、本体シャーシ２１のフランジ部２４を溶かして、本体部２を金属ケース３から分離するまでの時間を短縮できる。
【００６０】
なお、本体シャーシ２１のフランジ部２４に、ネジ１０１の頭部１０１ｂの径より大きな直径の穴部を形成し、浴室換気乾燥暖房機１Ａを天井パネル１００に固定するネジ１０１のうちの何本かで、金属ケース３のフランジ部３１を直接固定できるようにしても、同等の効果が得られる。
【産業上の利用可能性】
【００６１】
本発明は、熱源を有した空調装置等の設備機器に適用される。
【図面の簡単な説明】
【００６２】
【図１】本実施の形態の浴室換気乾燥暖房機の一例を示す断面図である。
【図２】本実施の形態の浴室換気乾燥暖房機の一例を示す要部断面図である。
【図３】本実施の形態の浴室換気乾燥暖房機の一例を示す平面図である。
【図４】本実施の形態の浴室換気乾燥暖房機の一例を示す分解斜視図である。
【図５】配線固定金具の一例を示す斜視図である。
【図６】本実施の形態の浴室換気乾燥暖房機による延焼防止効果を示す動作説明図である。
【図７】本実施の形態の浴室換気乾燥暖房機による延焼防止効果を示す動作説明図である。
【図８】本実施の形態の浴室換気乾燥暖房機による延焼防止効果を示す動作説明図である。
【図９】本実施の形態の浴室換気乾燥暖房機による落下防止効果を示す動作説明図である。
【図１０】本実施の形態の浴室換気乾燥暖房機の変形例を示す要部断面図である。
【図１１】本実施の形態の変形例における浴室換気乾燥暖房機による延焼防止効果を示す動作説明図である。
【符号の説明】
【００６３】
１Ａ・・・浴室換気乾燥暖房機、２・・・本体部、２１・・・本体シャーシ、２４・・・フランジ部、２４Ｈ・・・穴部、２５・・・固定突起、２６・・・ネジ、３・・・金属ケース、３１・・・フランジ部、６・・・基板、７・・・端子台、８・・・配線、９・・・配線固定金具、１００・・・天井パネル、１０１・・・ネジ、１０２・・・開口部
【図１】
0005239500.tif 000002
【図２】
0005239500.tif 000003
【図３】
0005239500.tif 000004
【図４】
0005239500.tif 000005
【図５】
0005239500.tif 000006
【図６】
0005239500.tif 000007
【図７】
0005239500.tif 000008
【図８】
0005239500.tif 000009
【図９】
0005239500.tif 000010
【図１０】
0005239500.tif 000011
【図１１】
0005239500.tif 000012